(57)【要約】【課題】給送経路において、被記録媒体４４１の表裏面が挟まれることなく給送される場合であっても、被記録媒体４４１を記録ヘッド２４１のノズル列２９４と対向して平坦に保持することができ、また、被記録媒体４４１の正確な給送及び巻き戻しができるインクジェット式記録装置１００を提供する。【解決手段】被記録媒体４４１の給送経路において記録ヘッド２４１を挟んで一対配され、被記録媒体４４１の記録面４４３の裏面４４４に接触して張力を与えることにより、被記録媒体４４１を記録ヘッド２４１のノズル列２９４と対向して平坦に保持しつつ、被記録媒体４４１に連れ回るプラテンローラ２３０、２３１とを備え、給送経路において、被記録媒体４４１の表裏面が挟まれることなく給送される。【選択図】図２
2009090578.tif 000002
【特許請求の範囲】
【請求項１】
ロール状の給送媒体を保持し、回転することにより前記給送媒体を供給する供給ローラと、
前記供給ローラにより給送された前記給送媒体を、回転することにより巻き取る巻取ローラと、
前記給送媒体の給送方向において一対配され、前記給送媒体の一方の面に接触して張力を与えることにより、前記給送媒体を平坦に保持し、前記給送媒体に連れ回るプラテンローラと、
前記巻取ローラに回転駆動力を与える巻取ローラ駆動部と、
前記供給ローラに回転負荷を与えることにより、前記供給ローラから前記巻取ローラまでの給送経路において、前記給送媒体にバックテンションを付与する供給ローラ負荷部と
を備え、
前記給送経路において前記給送媒体の表裏面が挟まれることなく給送される給送装置。
【請求項２】
前記給送媒体の給送量を検出する給送量検出部をさらに備え、
前記巻取ローラ駆動部は、前記給送量検出部により検出される前記給送量を一定にするよう前記巻取りローラを駆動する請求項１に記載の給送装置。
【請求項３】
前記給送量検出部が、前記プラテンローラの少なくとも一方の回転量を検出する回転量検出部であり、
前記巻取ローラ駆動部は、前記回転量検出部により検出される前記回転量を一定にするよう前記巻取りローラを駆動する請求項２に記載の給送装置。
【請求項４】
前記供給ローラを逆回転する回転駆動力を与える供給ローラ駆動部をさらに備え、
前記供給ローラから前記給送媒体を引き出して供給する場合に、前記供給ローラ駆動部が前記供給ローラに回転負荷を与える前記供給ローラ負荷部を兼ねる請求項１に記載の給送装置。
【請求項５】
前記巻取ローラの逆回転に対して回転負荷を与える巻取ローラ負荷部をさらに備える請求項４に記載の給送装置。
【請求項６】
ロール状の被噴射媒体を保持し、回転することにより前記被噴射媒体を供給する供給ローラと、
前記供給ローラにより供給された前記被噴射媒体の被噴射面に液体を噴射するノズル列を有する液体噴射ヘッドと、
前記液体噴射ヘッドにより液体が噴射された前記被噴射媒体を、回転することにより巻き取る巻取ローラと、
前記被噴射媒体の給送方向において前記液体噴射ヘッドを挟んで一対配され、前記被噴射媒体の前記被噴射面の裏面に接触して張力を与えることにより、前記被噴射媒体を液体噴射ヘッドの前記ノズル列と対向して平坦に保持し、前記被噴射媒体に連れ回るプラテンローラと、
前記巻取ローラに回転駆動力を与える巻取ローラ駆動部と、
前記供給ローラに回転負荷を与えることにより、前記供給ローラから前記巻取ローラまでの給送経路において、前記被噴射媒体にバックテンションを付与する供給ローラ負荷部と
を備え、
前記給送経路において前記被噴射媒体の表裏面が挟まれることなく給送される液体噴射装置。
【発明の詳細な説明】
【技術分野】
【０００１】
本発明は、給送装置および液体噴射装置に関する。本発明は、特に、被記録媒体を保持し、被記録媒体に連れ回るプラテンローラを備えた給送装置および液体噴射装置に関する。
【背景技術】
【０００２】
用紙またはＰＥＴ等の被記録媒体上にインクを吐出するインクジェット式記録装置として、被記録媒体の給送と、記録ヘッドの往復移動とを互いに間欠的に繰り返すことにより被記録媒体全体に記録をするものがある。このインクジェット式記録装置は、一対のローラで被記録媒体を表裏面から挟んで一方のローラを回転駆動することにより、記録ヘッドに対向する位置に被記録媒体をたるみなく給送する。また、被記録媒体をプラテン面に押し付けるあるいは吸引によりプラテン面に吸い付けることにより記録ヘッドと被記録媒体が印刷中に接触することなく良好な印刷物を生成する。
【０００３】
一方、長尺の被染物を巻き重ねたロールから当該被染物を引き出して裏面から支持しつつ供給して、ヘッド部からインクを噴出して被染物に付着させる染色装置がある（例えば、特許文献１を参照）。この染色装置においては、被染物の全体を一色に染めるので、被染物を給送しながら同時にヘッド部からインクを噴出する。
【特許文献１】特開２００３−２０５５８号公報
【発明の開示】
【発明が解決しようとする課題】
【０００４】
しかしながら、上記インクジェット式記録装置においては、被記録媒体を一対のローラで表裏面から挟んで給送するので、被記録媒体の表裏面に圧痕がつく。また、プラテン面と擦れる部分には、擦り傷がつく。特に、被記録媒体が透明な場合に圧痕、擦り傷が目立つ。一方、このインクジェット式記録装置に上記染色装置の給送方法を用いると、被記録媒体の給送が停止と再開を間欠的に繰り返すので、ロールを保持している給送ローラが慣性によって追従しきれずに被記録物が給送ローラから引き出されすぎてたるみ、正確に画像を記録することができない。
【課題を解決するための手段】
【０００５】
上記課題を解決するために、本発明の第１の形態においては、ロール状の給送媒体を保持し、回転することにより給送媒体を供給する供給ローラと、供給ローラにより給送された給送媒体を、回転することにより巻き取る巻取ローラと、給送媒体の給送方向において一対配され、給送媒体の一方の面に接触して張力を与えることにより、給送媒体を平坦に保持し、給送媒体に連れ回るプラテンローラと、巻取ローラに回転駆動力を与える巻取ローラ駆動部と、供給ローラに回転負荷を与えることにより、供給ローラから巻取ローラまでの給送経路において、給送媒体にバックテンションを付与する供給ローラ負荷部とを備え、給送経路において給送媒体の表裏面が挟まれることなく給送される給送装置が提供される。これにより、給送媒体を正確に給送しつつ、給送媒体に圧痕・擦り傷が付くことを防止できる。
【０００６】
上記給送装置において、給送媒体の給送量を検出する給送量検出部をさらに備え、巻取ローラ駆動部は、給送量検出部により検出される給送量を一定にするよう巻取りローラを駆動してもよい。これにより、給送媒体を表裏面から挟まないで給送する場合であっても、給送媒体を正確に給送することができる。
【０００７】
上記給送装置において、給送量検出部が、プラテンローラの少なくとも一方の回転量を検出する回転量検出部であり、巻取ローラ駆動部は、回転量検出部により検出される回転量を一定にするよう巻取りローラを駆動してもよい。これにより、プラテンローラを利用して給送量を検出できるので、部品点数を抑えることができる。
【０００８】
上記給送装置において、供給ローラを逆回転する回転駆動力を与える供給ローラ駆動部をさらに備え、供給ローラから給送媒体を引き出して供給する場合に、供給ローラ駆動部が供給ローラに回転負荷を与える供給ローラ負荷部を兼ねてもよい。これにより、部品点数を抑えることができる。
【０００９】
上記給送装置において、巻取ローラの逆回転に対して回転負荷を与える巻取ローラ負荷部をさらに備えてもよい。これにより、給送媒体を正確に巻き戻すことができる。
【００１０】
本発明の第２の形態において、ロール状の被噴射媒体を保持し、回転することにより被噴射媒体を供給する供給ローラと、供給ローラにより供給された被噴射媒体の被噴射面に液体を噴射するノズル列を有する液体噴射ヘッドと、液体噴射ヘッドにより液体が噴射された被噴射媒体を、回転することにより巻き取る巻取ローラと、被噴射媒体の給送方向において液体噴射ヘッドを挟んで一対配され、被噴射媒体の被噴射面の裏面に接触して張力を与えることにより、被噴射媒体を液体噴射ヘッドの前記ノズル列と対向して平坦に保持し、被噴射媒体に連れ回るプラテンローラと、巻取ローラに回転駆動力を与える巻取ローラ駆動部と、供給ローラに回転負荷を与えることにより、供給ローラから巻取ローラまでの給送経路において、被噴射媒体にバックテンションを付与する供給ローラ負荷部とを備え、給送経路において被噴射媒体の表裏面が挟まれることなく給送される液体噴射装置が提供される。これにより、第１の形態と同様の効果を有する液体噴射装置を提供することができる。
【００１１】
なお、上記の発明の概要は、本発明の必要な特徴の全てを列挙したものではない。また、これらの特徴群のサブコンビネーションもまた、発明となりうる。
【発明を実施するための最良の形態】
【００１２】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【実施例１】
【００１３】
図１は、液体噴射装置の一例であるインクジェット式記録装置１００を上面から見た斜視図である。なお、このインクジェット式記録装置１００は、例えばＪＩＳ規格のＡ０判、ＪＩＳ規格のＢ０判といった大判の単票と同じ用紙幅を有するロール紙、ＰＥＴ等の記録媒体に記録をする。同図に示すように、インクジェット式記録装置１００は、水平方向に長い略直方体状の筐体１１０と、筐体１１０を下方から支持する脚部１２０と、筐体１１０の下に吊り下げられた廃液収容部１３０とを有する。
【００１４】
筐体１１０は、互いに積層された上部筐体１１１と下部筐体１１２を有する。上部筐体１１１には、使用者により操作される操作パネル１４０が設けられる。下部筐体１１２には、カートリッジホルダ１５０が設けられる。カートリッジホルダ１５０には、インクを収容したインクカートリッジ１５１が装着される。カートリッジホルダ１５０に装着されたインクカートリッジ１５１のインクが、インクジェット式記録装置１００に供給される。
【００１５】
図２は、インクジェット式記録装置１００の筐体１１０の内部を説明する斜視図であり、図３は、その側面図である。図２に示す通り、インクジェット式記録装置１００は、水平方向に延伸すると共に、被記録媒体４４１の給送方向Ｍに被記録媒体４４１を給送する供給ローラ２１０および巻取ローラ２２０と、被記録媒体４４１の給送経路についてこれら供給ローラ２１０および巻取ローラ２２０の間に配される一対のプラテンローラ２３０、２３１とを備える。これら、供給ローラ２１０、巻取ローラ２２０およびプラテンローラ２３０、２３１は、給送装置の一例であり、被記録媒体４４１は、被噴射媒体の一例である。インクジェット式記録装置１００は、さらに、被記録媒体４４１にインクを吐出する記録部２４０と、給送方向Ｍに直交する方向である主走査方向Ｓに記録部２４０を駆動する駆動部２５０とを備える。
【００１６】
記録部２４０は、記録ヘッド２４１及び紫外線照射ヘッド２４３、２４４を有する。記録ヘッド２４１は、液体噴射ヘッドの一例である。記録ヘッド２４１は、例えば、使用される各色（例えば、ブラック、マゼンタ、シアン、イエロー、ホワイト等）毎に設けられる。各々の記録ヘッド２４１は、下方に複数のノズル列２９４を有すると共に、ノズル列２９４の各々は、下方に向けて開口した複数のノズルを有しており、被記録媒体４４１の記録面４４３に、インクカートリッジ１５１から供給されたインクを噴射する。記録面は被噴射面の一例であり、液体の一例であるインクには、例えば、紫外線硬化インクが用いられる。
【００１７】
紫外線照射ヘッド２４３、２４４は、主走査方向Ｓに沿って記録ヘッド２４１の両側の側面に接して配される。これら、紫外線照射ヘッド２４３、２４４は、被記録媒体４４１の記録面４４３に紫外線を照射することにより、紫外線硬化インクを硬化定着させる。紫外線照射ヘッド２４３、２４４の一例として、高圧水銀ランプ、熱陰極管、ＬＥＤ等が用いられる。
【００１８】
駆動部２５０は、案内部材２５１、キャリッジモータ２５２およびタイミングベルト２５３を有する。案内部材２５１は、主走査方向Ｓにおいて被記録媒体４４１の幅よりも長く延伸しており、筐体１１０に支持されている。案内部材２５１は、記録ヘッド２４１および紫外線照射ヘッド２４３、２４４を支持する。
【００１９】
タイミングベルト２５３はキャリッジモータ２５２に掛けまわされており、キャリッジモータ２５２により回転駆動される。このタイミングベルトは、記録部２４０に連結される。また、キャリッジモータ２５２の一例として、ステップモータが用いられる。これにより、記録部２４０は、案内部材２５１に沿って、主走査方向Ｓに往復移動する。
【００２０】
供給ローラ２１０は、ロール状の被記録媒体４４１を保持しており、回転することにより被記録媒体４４１を供給する。また、巻取ローラ２２０は、記録ヘッド２４１により液体が噴射された被記録媒体４４１を、回転することにより巻き取る。
【００２１】
供給ローラ２１０は、円柱状の供給ローラスピンドル２１１と、供給ローラスピンドル２１１の長手方向の両端に配され、供給ローラスピンドル２１１よりも大径の円板状の供給ローラフランジ２１２、２１４を有する。これら供給ローラフランジ２１２、２１４は、供給ローラスピンドル２１１に同心円状に配置されている。また、供給ローラスピンドル２１１の一端は、供給ローラスピンドル２１１の正転に対して回転負荷を与える供給ローラ負荷部４３０が結合される。さらに、供給ローラスピンドル２１１の他端に、供給ローラスピンドル２１１を逆回転する回転駆動力を与える供給ローラ駆動部２６０がさらに設けられる。
【００２２】
供給ローラスピンドル２１１は、筐体１１０の長手方向にロール状の被記録媒体４４１を保持すると共に、ロール状の被記録媒体４４１が引き出されるのに伴って一体的に回転する。以下、供給ローラ２１０から被記録媒体４４１が引き出され、巻取ローラ２２０に巻き取られる場合の供給ローラ２１０及び巻取ローラ２２０の回転方向を順回転方向Ｆで示すと共に、その逆回転の方向を逆回転方向Ｒで示す。なお、本実施形態において、供給ローラスピンドル２１１は金属製であることが好ましく、被記録媒体４４１の幅よりも長い１本の中空管材であることが好ましい。これにより、軽くて強度の強い供給ローラスピンドル２１１を得ることができる。
【００２３】
供給ローラ負荷部４３０は、例えば、トルクリミッタ、回転ダンパ等を備えており、供給ローラスピンドル２１１に、順回転方向Ｆに対する回転負荷を与える。当該回転負荷は、供給ローラ２１０から被記録媒体４４１を引き出す場合に、被記録媒体４４１に対する張力として作用する。また、供給ローラ負荷部４３０は、筐体１１０に支持される。これにより、被記録媒体４４１の平坦性が維持されると共に、被記録媒体４４１の引き出しが停止した場合に、供給ローラ２１０が空転することが防止される。
【００２４】
供給ローラ駆動部２６０は、供給ローラ２１０を逆回転方向Ｒに回転する回転駆動力を与え、例えば、ステップモータが用いられる。これにより、被記録媒体４４１を巻き戻すことができる。また、供給ローラ負荷部４３０と同時に使用して、或いは、供給ローラ負荷部４３０に代えて供給ローラ駆動部２６０の回転駆動力を利用して、供給ローラスピンドル２１１に回転負荷を与えることもできる。このとき、供給ローラ２１０から被記録媒体４４１を引き出して供給する場合に、供給ローラ駆動部２６０が供給ローラ２１０に回転負荷を与える供給ローラ負荷部４３０を兼ねてもよい。これにより、部品点数を抑えることができる。
【００２５】
巻取ローラ２２０は、供給ローラ２１０と同様に、円柱状の巻取ローラスピンドル２２１と、一対の円板状の巻取ローラフランジ２２２、２２４とを有する。また、巻取ローラスピンドル２２１の一端には、巻取ローラスピンドル２２１に回転駆動力を与える巻取ローラ駆動部２７０が設けられており、もう一方の端には、巻取ローラ負荷部５３０が結合される。巻取ローラ２２０の構成および作用は、供給ローラ２１０の構成および作用と同じであるので、説明を省略する。なお、巻取ローラ駆動部２７０は、巻取ローラ２２０を順回転方向Ｆに駆動する。また、巻取ローラ負荷部５３０は、巻取ローラ２２０が逆回転方向Ｒに回転する場合に巻取ローラ２２０に負荷を与える。
【００２６】
図３に示すように、プラテンローラ２３０、２３１は、記録部２４０の主走査方向Ｓに平行に一対配され、被記録媒体４４１の給送経路において記録ヘッド２４１を挟んで配される。プラテンローラ２３０、２３１は、記録部２４０の主走査方向Ｓに延伸する部材であって、強度、又は、回転の滑らかさの観点から金属製の円柱形状であることが好ましく、記録ヘッド２４１の主走査幅よりも長いことが好ましい。なお、一対のプラテンローラの間には、背景技術で示す被記録媒体４４１の記録面４４３の裏面４４４を支持するプラテン面は存在しない。
【００２７】
ここで、プラテンローラ２３０、２３１は、記録ヘッド２４１のノズル列２９４と対向して（図３における下方）配されている。そして、プラテンローラ２３０、２３１は、一対のプラテンローラにより形成される搬送経路が、ノズル列２９４を含むノズルプレート２９３と略平行になるように配されている。つまり、記録部２４０の主走査方向Ｓに直交する平面で切断した場合、プラテンローラ２３０、２３１の断面の直径は略同一であり、両者の中心を結んだ直線が記録ヘッド２４１の液体噴射方向に略垂直になるように配されている。これにより、ノズルプレート２９３と、プラテンローラ２３０、２３１の間における被記録媒体４４１とが略平行になり、記録ヘッド２４１と、プラテンローラ２３０、２３１との間に、被記録媒体４４１の水平で平坦な給送経路が形成される。従って、以上の構成により、被記録媒体４４１の記録面４４３のうち、液体が付着する部分を平坦に保持することができる。
【００２８】
さらに、プラテンローラ２３０、２３１は、供給ローラ２１０と巻取ローラ２２０を直線的に結んで形成される給送経路よりも記録ヘッド２４１側に給送経路を形成する。例えば、プラテンローラ２３０、２３１の断面の中心を結んだ直線が、供給ローラスピンドル２１１と巻取ローラスピンドル２２１の断面の中心を結んだ直線と、記録ヘッド２４１のノズル列２９４が並んでいる直線との間に配置される。これにより、プラテンローラ２３０、２３１は被記録媒体４４１の記録面の裏面４４４に接触して張力を与える。
【００２９】
また、プラテンローラ２３０、２３１における断面の中心の間隔は、供給ローラスピンドル２１１の断面の中心と巻取ローラスピンドル２２１の断面の中心との間隔と同じかそれより狭いことが好ましい。これにより、装置を小型化できるとともに、プラテンローラ２３０、２３１により被記録媒体４４１の給送経路が鈍角に曲げられるので、硬化固着した紫外線硬化インクが被記録媒体４４１から剥離することを抑制できる。
【００３０】
ここで、被記録媒体４４１の巻取りにおいて被記録媒体４４１の給送経路の曲がり角を一定に保ように、供給ローラ２１０、巻取ローラ２２０を移動させてもよい。この場合に、被記録媒体４４１の給送に従って、供給ローラ２１０は同図左下方向へ移動すると共に、巻取ローラ２２０は同図右下方向へ移動してもよい。これにより、供給ローラ２１０および巻取ローラ２２０における被記録媒体４４１の巻き付け量が変わって、被記録媒体４４１とこれら供給ローラ２１０および巻取ローラ２２０とのなす角が変わっても、給送経路の曲がり角を一定に保つことができる。よって、インクの剥離を抑制しかつ被記録媒体４４１にかかる張力を一定に保つことができる。
【００３１】
プラテンローラ２３０、２３１の両端は、筐体１１０側に回転自在に支持される。例えば、ベアリング等の軸受けにより支持されることが好ましい。また、プラテンローラ２３０、２３１の下方に、回転する支持部材を設けてもよく、この場合に、支持部材は１本で形成されていてもよく、複数の部材により構成されていてもよい。これにより、これらプラテンローラ２３０、２３１は被記録媒体４４１の記録面の裏面４４４に接触して、被記録媒体４４１の給送時に当該被記録媒体４４１に連れ回ることができる。なお、本実施形態においては、プラテンローラ２３０ａ、プラテンローラ２３０ｂは、１本の金属製の円柱部材で形成されているが、複数の円柱部材を連結して形成してもよい。
【００３２】
上記構成によれば、供給ローラ２１０、プラテンローラ２３０、プラテンローラ２３１および巻取ローラ２２０が給送方向にこの順に配置されており、さらに巻取ローラ２２０が回転駆動されると共に、供給ローラ２１０には回転負荷が与えられている。これにより、プラテンローラ２３０、２３１は被記録媒体４４１の記録面の裏面４４４に接触して張力を与え、被記録媒体４４１は、プラテンローラ２３０、２３１の間で、記録ヘッド２４１のノズル列と対向する位置で平坦に保持される。よって、この給送経路において、被記録媒体４４１の記録面４４３に接する部材はなく、被記録媒体４４１の表裏面が挟まれることなく給送される。
【００３３】
ここで、「被記録媒体４４１の表裏面が挟まれる」とは、被記録媒体４４１の一方の面のある箇所と、他方の面において当該箇所と対応する箇所とが挟まれることをいう。なお、被記録媒体４４１の記録面４４３のある箇所に記録面４４３側から一方のローラが接しており、当該箇所から給送方向Ｍに離れた箇所で記録面の裏面４４４側から他方のローラが接している場合には、「被記録媒体４４１の表裏面が挟まれ」ていない。
【００３４】
このように、被記録媒体４４１が巻取ローラ２２０に巻き取られることで給送され、給送経路における記録ヘッド２４１に対向する位置において、記録ヘッド２４１が案内部材２５１に沿って往復移動しつつ、被記録媒体４４１の記録面４４３に対して記録ヘッド２４１からインクを吐出する。さらに、巻取ローラ２２０による巻取りと記録ヘッド２４１の記録面４４３に対するインクの吐出とが繰り返されることにより、被記録媒体４４１の記録面４４３に順次、記録がなされる。
【００３５】
本実施形態に係るインクジェット式記録装置１００によれば、被記録媒体４４１を表裏面から挟むことなく被記録媒体４４１を給送でき、プラテン上で印刷を行わないので、被記録媒体４４１の記録面４４３及びその裏面４４４に擦り傷がつくことを防ぐことができる。特に、被記録媒体４４１が、包装用フィルムに用いられる熱収縮フィルム等のローラの痕が残りやすい樹脂の場合であっても、本実施形態によれば、当該被記録媒体４４１を挟まず、プラテンとの接触もないので、被記録媒体４４１にローラが強く接することによる圧痕、プラテンに擦れることによる擦り傷がつくことを抑制できる。被記録媒体４４１が透明な場合には、被記録媒体４４１の圧痕・擦り傷が特に目立つが、本実施形態によれば、記録面４４３に接触する部材がなく、また、裏面４４４には被記録媒体４４１に連れ回る自由回転ローラが接触するので、圧痕・擦り傷がつきにくく、圧痕・擦り傷が目立ちにくい。
【００３６】
なお、本実施形態においては、被記録媒体４４１の記録面４４３に接触する部材がない形態を説明したが、被記録媒体４４１の記録面４４３に自由回転ローラが接触する態様であってもよい。この場合にも、被記録媒体４４１の記録面４４３に擦り傷がつくことを抑制しながら、被記録媒体４４１をより確実に平坦に保持することができる。
【００３７】
図３に示すように、インクジェット式記録装置１００は、プラテンローラ２３０、２３１の少なくとも一方の回転量を検出する回転量検出部２８０をさらに備える。ここで、回転量検出部２８０は、被記録媒体４４１の給送量を計測する給送量検出部の一例であり、例えばロータリーエンコーダが用いられる。さらに、これにより、プラテンローラを利用して給送量を検出できるので、部品点数を抑えることができる。ここで、回転量検出部２８０はプラテンローラ２３０の回転量を検出することが好ましい。これにより、順回転時（印刷時）に、記録ヘッド２４１と対向する位置に送られてくる被記録媒体４４１の給送量をより正確に検出することができる。
【００３８】
給送量測定部の他の例として、被記録媒体４４１にレーザー光を照射して被記録媒体４４１の位置と速度を検出するドップラー検出器等が用いられてもよい。この場合、被記録媒体４４１の給送量を直接検出することができるため誤差が少なく、精度よく給送量を検出することができる。
【００３９】
回転量検出部２８０で検出した回転量は、制御部３１０に送られ、制御部３１０は受け取った当該回転量を一定にするよう巻取ローラ駆動部２７０を駆動させる。また、巻き戻し時には、当該回転量を一定にするよう供給ローラ駆動部２６０を駆動させる。
【００４０】
図４は、インクジェット式記録装置１００に設置される供給ロール組立体４００を上からみた斜視図である。同図に示すように供給ロール組立体４００は、供給ローラ２１０、供給ローラ負荷部４３０及び被記録媒体ロール４４０を備える。同図において、供給ローラフランジ２１２を仮想的に点線で表示している。
【００４１】
供給ローラ２１０は、上記の通り、供給ローラスピンドル２１１の一方の端が供給ローラ負荷部４３０と結合しており、もう一方の端には、供給ローラ駆動部２６０と結合するための供給ローラ駆動部連結部２１３を有する。なお、本実施例においては、巻取ローラ２２０および巻取ローラ負荷部５３０も、図４と同様の構造を有する。
【００４２】
同図に示すように、被記録媒体ロール４４０は、芯となる芯管４４２と、その外面に巻き重ねられた長尺の被記録媒体４４１とを含む。被記録媒体４４１としては、熱収縮性の樹脂フィルムの他、紙、各種樹脂フィルム、または、テキスタイル製品等が巻かれる場合もある。芯管４４２は、例えば、紙製の中空管であり、内側に供給ローラスピンドル２１１が挿通され、互いに結合されている。これにより、被記録媒体４４１が供給ローラ２１０から引き出された場合、供給ローラスピンドル２１１と芯管４４２は一体的に回転する。
【００４３】
供給ローラ負荷部４３０は、供給ローラスピンドル２１１の一方の端部に設けられ、供給ローラスピンドル２１１に回転負荷を与える。供給ローラ負荷部４３０は、負荷発生部４３１と嵌合部４３２を有する。負荷発生部４３１は、例えば、トルクリミッタであってもよい。嵌合部４３２は、筐体１１０に設けられた凹部に嵌められる。従って、被記録媒体４４１が一定以上の力で被記録媒体ロール４４０から引き出された場合は、供給ローラ２１０と被記録媒体ロール４４０は前述の通り互いに結合されており一体的に回転するのに対して、嵌合部４３２は回転しない固定部となる。
【００４４】
これにより、被記録媒体４４１が一定以上の力で引き出されている場合には、供給ローラ２１０は回転することができる。しかしながら、例えば、被記録媒体４４１の引き出しを停止している場合、または、巻取ローラ駆動部２７０が所定量だけ紙送りをした後、紙送りを停止した場合のようにロールに対して慣性力しか働いていない場合には、供給ローラ２１０は回転することができない。また、トルクリミッタを用いた場合、一方の他方に対する一の回転方向については回転負荷を付与するが、他の回転方向については回転負荷を付与しなくてもよい。これにより、いったん引き出された被記録媒体４４１をロールに巻き戻す場合には、ロールを容易に回転させることができる。
【００４５】
これにより、ロールに働く慣性力により被記録媒体４４１が弛むことを抑制できる。その結果、被記録媒体４４１の平坦性を維持することができ、また、給送量を正確に制御することができる。また、巻取ローラ駆動部２７０が被記録媒体４４１を連続的に引き出している場合においても、被記録媒体４４１に適度な張力をかけることができるので、皺等の発生を抑制できる。ここで、巻取ローラ駆動部２７０がステップモータである場合には、モータが連続的に稼動している場合であっても、紙送りは間欠的になされる。そこで、巻取ローラ駆動部２７０がステップモータである場合には、「連続的に引き出している」とは、このような間欠的な紙送りが続いている状態も含む。
【００４６】
供給ローラ負荷部４３０の他の例として、回転ダンパが用いられてもよい。被記録媒体４４１が供給ローラ２１０から引き出されるに従って、被記録媒体ロール４４０の直径は小さくなる。被記録媒体ロール４４０の直径が小さくなるに従って被記録媒体ロール４４０の回転速度は速くなり、被記録媒体ロール４４０に働く慣性力も大きくなる。回転ダンパを用いた場合には、回転速度が速くなるに従って、供給ローラ２１０に付与する回転負荷も大きくなるので、被記録媒体ロール４４０の直径が小さくなっても給送量を正確に制御することができる。また、回転負荷を被記録媒体ロール４４０の直径が小さくなった場合に合わせて、印刷開始時から大きな回転負荷を設定しなくてもよい点で好ましい。
【００４７】
以上、本実施形態によれば、被記録媒体４４１に確実に張力を与えつつ、被記録媒体４４１を表裏面から挟むことなく被記録媒体４４１を給送する。よって、被記録媒体４４１を正確に給送しつつ、被記録媒体４４１の記録面４４３に擦り傷がつくことを防ぐことができる。
【００４８】
上記実施形態において、上記インクジェット式記録装置１００は、液体噴射装置の一例である。しかしながら、液体噴射装置はインクジェット式記録装置１００に限られない。液体噴射装置の他の例として、液晶ディスプレイのカラーフィルタを製造するカラーフィルタ製造装置、有機ＥＬディスプレイ、ＦＥＤ（面発光ディスプレイ）等の電極を形成する電極形成装置、バイオチップを製造するバイオチップ製造装置等が挙げられる。
【００４９】
さらに、本実施形態においては、被記録媒体４４１が記録ヘッド２４１に対向した位置において水平に保持されるが、被記録媒体４４１が保持される向きはこれに限られない。他の例として、被記録媒体４４１が記録ヘッド２４１に対向した位置において水平方向について傾いていてもよく、鉛直であってもよい。いずれの場合にも、記録ヘッド２４１がインクを噴射する方向は、被記録媒体４４１の法線方向に平行であることが好ましい。
【００５０】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００５１】
【図１】インクジェット式記録装置１００を上面から見た斜視図である。
【図２】インクジェット式記録装置１００の筐体１１０の内部を上から見た斜視図である。
【図３】インクジェット式記録装置１００の内部の側面図である。
【図４】インクジェット式記録装置１００に設置される供給ロール組立体４００を上からみた斜視図である。
【符号の説明】
【００５２】
１００  インクジェット式記録装置、１１０  筐体、１１１  上部筐体、１１２  下部筐体、１２０  脚部、１３０  廃液収容部、１４０  操作パネル、１５０  カートリッジホルダ、１５１  インクカートリッジ、２００  内部構造、２１０  供給ローラ、２１１  供給ローラスピンドル、２１２  供給ローラフランジ、２１３  供給ローラ駆動部連結部、２１４  供給ローラフランジ、２２０  巻取ローラ、２２１  巻取ローラスピンドル、２２２  巻取ローラフランジ、２２４  巻取ローラフランジ、２３０  プラテンローラ、２３１  プラテンローラ、２４０  記録部、２４１  記録ヘッド、２４３  紫外線照射ヘッド、２４４  紫外線照射ヘッド、２５０  駆動部、２５１  案内部材、２５２  キャリッジモータ、２５３  タイミングベルト、２６０  供給ローラ駆動部、２７０  巻取ローラ駆動部、２８０  回転量検出部、２９３  ノズルプレート、２９４  ノズル列、３１０  制御部、４００  供給ロール組立体、４３０  供給ローラ負荷部、４３１  負荷発生部、４３２  嵌合部、４４０  被記録媒体ロール、４４１  被記録媒体、４４２  芯管、４４３  記録面、４４４  裏面、５３０  巻取ローラ負荷部
【図１】
2009090578.tif 000003
【図２】
2009090578.tif 000004
【図３】
2009090578.tif 000005
【図４】
2009090578.tif 000006